(57)【要約】【課題】ノイズ低減を目的とした補正処理を、温度変動に応じて適正に行う。【解決手段】第１の電子カメラは、被写体を撮影して画像信号に変換する撮像手段と、前記撮像手段の露光時間を設定する露光時間設定手段と、前記露光時間設定手段によって設定される露光時間が判定基準値よりも長い又は判定基準値以上であれば、前記撮像手段によって得られる画像信号に対し、遮光状態で前記撮像手段から取得した黒画像信号を用いた補正処理を施す第１補正手段と、前記撮像手段の近傍温度を検出する温度検出手段と、前記温度検出手段によって検出される前記近傍温度が高いほど前記判定基準値を小さく設定する判定基準値設定手段と、を具備する。【選択図】図４
2006148456.tif 000002
【特許請求の範囲】
【請求項１】
被写体を撮影して画像信号に変換する撮像手段と、
前記撮像手段の露光時間を設定する露光時間設定手段と、
前記露光時間設定手段によって設定される露光時間が判定基準値よりも長い又は判定基準値以上であれば、前記撮像手段によって得られる画像信号に対し、遮光状態で前記撮像手段から取得した黒画像信号を用いた補正処理を施す第１補正手段と、
前記撮像手段の近傍温度を検出する温度検出手段と、
前記温度検出手段によって検出される前記近傍温度が高いほど前記判定基準値を小さく設定する判定基準値設定手段と、
を具備することを特徴とする電子カメラ。
【請求項２】
前記第１補正手段は、前記撮像手段によって得られる画像信号から前記黒画像信号を減算することによって補正処理を施すことを特徴とする請求項１記載の電子カメラ。
【請求項３】
被写体を撮影して画像信号に変換する撮像手段と、
前記撮像手段の露光時間を設定する露光時間設定手段と、
前記露光時間設定手段によって設定される露光時間が判定基準値よりも長い又は判定基準値以上であれば、前記撮像手段によって得られる画像信号のノイズ成分を抑圧する又はノイズ成分の抑圧を強化する第２補正手段と、
前記撮像手段の近傍温度を検出する温度検出手段と、
前記温度検出手段によって検出される前記近傍温度が高いほど前記判定基準値を小さく設定する判定基準値設定手段と、
を具備することを特徴とする電子カメラ。
【請求項４】
前記ノイズ成分は画像信号の高域成分であることを特徴とする請求項３記載の電子カメラ。
【請求項５】
被写体を撮影して画像信号に変換する撮像手段と、
前記撮像手段の露光時間を設定する露光時間設定手段と、
前記露光時間設定手段によって設定される露光時間が判定基準値よりも長い又は判定基準値以上であれば、前記撮像手段によって得られる画像信号の色成分を抑圧する又は色成分の抑圧を強化する第３補正手段と、
前記撮像手段の近傍温度を検出する温度検出手段と、
前記温度検出手段によって検出される前記近傍温度が高いほど前記判定基準値を小さく設定する判定基準値設定手段と、
を具備することを特徴とする電子カメラ。
【発明の詳細な説明】
【技術分野】
【０００１】
本発明は、撮像装置から取得した画像信号に対して、ノイズ低減を目的とした補正処理を施す機能を具えた電子カメラに関するものである。
【背景技術】
【０００２】
電子カメラであるデジタルスチルカメラは、ＣＣＤに代表される撮像素子によって撮影された画像をデジタルデータとして記録媒体に記録するものであって、ユーザがシャッタボタンを押下すると、撮像素子から得られる画像信号が、デジタルの画像データに変換された後、周知の圧縮方式により圧縮されてＩＣカード等の記録媒体に記録される。
【０００３】
ところで、撮像素子から得られる画像信号には、撮像素子の駆動時に撮像素子の周囲にて発生する高速パルスや撮像素子の構造に起因して発生するノイズ信号(以下、固定パターンノイズ信号という)が含まれている。仮に、撮像素子から得られる画像信号を補正することなく記録媒体に記録した場合、前記固定パターンノイズ信号が白点や白線となって記録媒体に記録された画像に現れることになる。
【０００４】
そこで、従来のデジタルスチルカメラにおいては、撮像素子から得られる画像信号に後述の補正処理を施すこととしている(例えば、特許文献１参照)。
【０００５】
即ち、ユーザがシャッタボタンを押下すると、先ず、撮像素子から画像信号が取得される。その後、機械式シャッタが閉じられ、その状態で撮像素子から得られる画像信号である黒画像信号が取得される。このとき、固定パターンノイズ信号の周波数成分やレベルは撮像素子の露光時間であるシャッタ速度によって異なるため、シャッター速度は、画像信号の取得時と同じ速度に設定される。この様にして、画像信号に含まれる固定パターンノイズ信号と周波数成分やレベルが略等しい黒画像信号が得られることになる。
【０００６】
その後、画像信号から黒画像信号を減算する補正処理が実行され、補正後の画像信号が記録媒体に記録される。
【０００７】
従来のデジタルスチルカメラにおいては、上述の如く撮像素子から得られる画像信号に対し補正処理を実行することによって、記録画像におけるノイズ低減が行なわれている。
【特許文献１】特開平６−１９７２８５号公報  また、黒画像信号を用いるのではなく、画像信号のノイズ成分である高域成分を抑圧又は抑圧を強化する補正処理や、画像信号の色成分を抑圧又は抑圧を強化する補正処理を実行することによって記録画像におけるノイズ低減を行なうものもある。
【発明の開示】
【発明が解決しようとする課題】
【０００８】
従来の電子カメラでは、固定パターンノイズ信号は露光時間が長くなるほど大きくなることに鑑み、ノイズが目立つ一定の露光時間以上の露光時間にて撮影を行なうか否かでノイズ低減を目的とした補正処理を行なう、行なわないを切り換えていた。
【０００９】
但し、黒画像信号を用いた補正処理を行なうと１つの記録画像信号を得るために複数回撮影を行なうことになり連続撮影の応答性が悪くなってしまう。また、ノイズ成分を抑圧する補正処理や色成分を抑圧する補正処理を行なうと、記録画像信号の画質が低下するため、これらの補正処理はノイズが目立たなければ実行しないことが望ましい。よって補正処理を行なうか否かの判定基準値となる露光時間は極力長く、例えば０．５秒に設定している。
【００１０】
しかしながら、高温度下での使用や継続使用により電子カメラ内部の温度上昇により、設定した判定基準値よりも短い露光時間での撮影でノイズが目立つようになる。これは図１０に示したグラフのように、撮像素子自体又は撮像素子近傍の温度（横軸）が上昇するに伴い、ノイズ量（縦軸）が増加していく傾向にある。すなわち、露光時間が同じであっても撮像素子自体又は撮像素子近傍の温度によってノイズ量が異なるため、ノイズが目立ち補正処理が必要なときに補正処理が実行されなかったり、不要なときに実行されてしまうという課題があった。
【００１１】
本発明は、ノイズ低減を目的とした補正処理を、温度変動に応じて適正に行なうことを目的とする。
【課題を解決するための手段】
【００１２】
本発明に係る第１の電子カメラは、被写体を撮影して画像信号に変換する撮像手段と、前記撮像手段の露光時間を設定する露光時間設定手段と、前記露光時間設定手段によって設定される露光時間が判定基準値よりも長い又は判定基準値以上であれば、前記撮像手段によって得られる画像信号に対し、遮光状態で前記撮像手段から取得した黒画像信号を用いた補正処理を施す第１補正手段と、前記撮像手段の近傍温度を検出する温度検出手段と、前記温度検出手段によって検出される前記近傍温度が高いほど前記判定基準値を小さく設定する判定基準値設定手段と、を具備する。
【００１３】
さらに、前記第１補正手段は、前記撮像手段によって得られる画像信号から前記黒画像信号を減算することによって補正処理を施す。
【００１４】
本発明に係る第２の電子カメラは、被写体を撮影して画像信号に変換する撮像手段と、前記撮像手段の露光時間を設定する露光時間設定手段と、前記露光時間設定手段によって設定される露光時間が判定基準値よりも長い又は判定基準値以上であれば、前記撮像手段によって得られる画像信号のノイズ成分を抑圧する又はノイズ成分の抑圧を強化する第２補正手段と、前記撮像手段の近傍温度を検出する温度検出手段と、前記温度検出手段によって検出される前記近傍温度が高いほど前記判定基準値を小さく設定する判定基準値設定手段と、を具備する。
【００１５】
さらに、前記ノイズ成分は画像信号の高域成分である。
【００１６】
本発明に係る第２の電子カメラは、被写体を撮影して画像信号に変換する撮像手段と、前記撮像手段の露光時間を設定する露光時間設定手段と、前記露光時間設定手段によって設定される露光時間が判定基準値よりも長い又は判定基準値以上であれば、前記撮像手段によって得られる画像信号の色成分を抑圧する又は色成分の抑圧を強化する第３補正手段と、前記撮像手段の近傍温度を検出する温度検出手段と、前記温度検出手段によって検出される前記近傍温度が高いほど前記判定基準値を小さく設定する判定基準値設定手段と、を具備する。
【発明の効果】
【００１７】
本発明によれば、撮像素子近傍の温度情報を用いて撮像素子からのノイズ量を想定し、ノイズ低減を目的とした補正処理を行う露光時間（シャッタ速度）を変化させることにより、低温度でノイズの影響が少ない時には、長い露光時間のときに補正処理を行うため、応答性の悪化や画質低下は最低限に押さえられる。 逆に、高温度下では短い露光時間でも補正処理を行うため、ノイズの少ない画像を得ることができ、その効果は大である。
【発明を実施するための最良の形態】
【００１８】
図１は本発明の第１実施例である電子カメラを示した機能ブロック図である。以下、簡単な動作説明と共に各部の説明をする。電子カメラ１０は、フォーカスレンズ１２および機械式シャッタ機能を有する絞りユニット１４を具備し、被写界の光学像は、これらの部材を通してＣＣＤである固体撮像素子１６の受光面つまり撮像面に照射される。フォーカスレンズ１２はフォーカスモータ１８によって光軸方向の位置が調整されフォーカス調整が行なわれる。フォーカス調整の詳細については割愛する。撮像面では、光電変換によって被写界の光学像に対応する電荷つまり生画像信号が生成される。なお、固体撮像素子１６と後述するドライバ２２およびＣＤＳ／ＡＧＣ／ＡＤ回路２４によって、撮像装置２５が形成される。ＣＤＳ／ＡＧＣ／ＡＤ回路２４はＣＰＵ４０によって制御される。
【００１９】
メモリ制御回路２８はＳＤＲＡＭ３０を制御し、ＳＤＲＡＭ３０はＣＤＳ／ＡＧＣ／ＡＤ回路２４より出力されるデジタル信号に変換された生画像信号である生画像データや、後述するように、ＹＵＶ画像データや黒画像データ、及び圧縮画像データが書き込まれ読み出される。信号処理回路２６はメモリ制御回路２８を通してＳＤＲＡＭ３０に書き込まれた生画像データよりＹＵＶ形式の画像データであるＹＵＶ画像データを生成する。ビデオエンコーダ３２はメモリ制御回路２８を通してＳＤＲＡＭ３０より読み出されたＹＵＶ画像データをＮＴＳＣフォーマットに従うコンポジットビデオ信号に変換し、変換されたコンポジットビデオ信号をＬＣＤモニタ３４に与える。
【００２０】
また、信号処理回路２６から出力されるＹＵＶ画像データを構成するＹデータは輝度評価回路３６にも与えられる。輝度評価回路３６は、Ｙデータを１フレーム期間毎に積分する。ＣＰＵ４０は、こうして求められた積分値つまり輝度評価値を用いて後述する露出制御を行う。なお、ＣＰＵ４０は、電子カメラ１０全体の制御も行う。
【００２１】
シャッタボタン５０を全押しすることによって開始される画像信号の記録動作では、ＪＰＥＧコーデック４２はメモリ制御回路２８を通してＳＤＲＡＭ３０から読み出されたＹＵＶ画像データにＪＰＥＧ圧縮を施し圧縮画像データを作成する。圧縮画像データはメモリ制御回路２８を通してＳＤＲＡＭ３０に書き込まれた後、ＣＰＵ４０によって圧縮画像ファイルに加工され、メモリ制御回路２８を通してＳＤＲＡＭ３０より読み出され、Ｉ／Ｆ回路４４を通してメモリカードやハードディスク等の記録媒体４６に記録される。
【００２２】
なお、ＣＰＵ４０が実行するプログラムはフラッシュメモリ４８に記憶されている。また、温度センサ５２は固体撮像素子１６近傍の温度を検出しＣＰＵ４０にその値を出力する。データテーブル５４には固体撮像素子１６近傍の温度Ｔとノイズ除去を目的とした補正処理を行うか否かを判定するための基準となる判定基準シャッタ速度ＮＲＳとの対応関係をデータテーブルとして記憶している。
【００２３】
ここで、データテーブル５４について詳細に説明する。固体撮像素子１６近傍の温度Ｔが上昇するに伴い、ノイズ量が増加していく傾向にある。すなわち、同じシャッタ速度であっても、固体撮像素子１６近傍の温度Ｔが高くなるほど撮像装置２５から出力される画像信号のノイズ量は増加する。そして、ノイズ除去を目的とした補正処理を行なうと、１つの記録画像信号を得るための処理が長くなり連続撮影の応答性が悪くなってしまう。さらに、記録画像信号の画質が低下するため、こうした補正処理はノイズが目立たなければ実行しないことが望ましい。
【００２４】
そこで、固体撮像素子１６近傍の温度Ｔとノイズ除去を目的とした補正処理を行うか否かを判定するための基準となる判定基準シャッタ速度ＮＲＳとの関係を実際に電子カメラ１０にて撮影を行なうことによって決定すると、一例ではあるが図２に示すような特性が得られる。得られた特性を図３に示すように数値の対応表としデータテーブル５４に記憶しておく。なお、温度Ｔと判定基準シャッタ速度との関係は計算機による数値解析によって取得してもよい。
【００２５】
次に電子カメラ１０の動作について説明する。ＣＰＵ４０は、図４に示すフロー図に従う処理を実行する。
【００２６】
シャッタボタン５０が押されていない状態では、スルー画撮影処理を行う（Ｓ１）。スルー画撮影処理つまり被写界のリアルタイム動画像をＬＣＤモニタ３４に表示する処理を実行するとき、ＣＰＵ４０は、絞りの開放をドライバ２０に命令し、プリ露光および間引き読み出しの繰り返しをドライバ２２に命令する。ドライバ２０は、絞りユニット１４の絞り量を開放し、ドライバ２２は、固体撮像素子１６のプリ露光とこれによって生成された生画像信号の間引き読み出しとを繰り返し実行する。プリ露光および間引き読み出しは、１／３０秒毎に発生する垂直同期信号に応答して実行される。これによって、被写界の光学像に対応する低解像度の生画像信号が、３０ｆｐｓのフレームレートで固体撮像素子１６から出力される。
【００２７】
出力された各フレームの生画像信号に対し、ＣＤＳ／ＡＧＣ／ＡＤ回路２４によってノイズ除去、レベル調整およびＡ／Ｄ変換の一連の処理を施し、これによってディジタル信号である生画像データを得る。生画像データはメモリ制御回路２８を通してＳＤＲＡＭ３０に書き込まれる。信号処理回路２６は、メモリ制御回路２８を通してＳＤＲＡＭ３０から読み出された生画像データに白バランス調整，色分離，ＹＵＶ変換などの処理を施し、ＹＵＶ形式の画像データであるＹＵＶ画像データを生成する。生成されたＹＵＶ画像データはメモリ制御回路２８によってＳＤＲＡＭ３０に書き込まれ、その後同じメモリ制御回路２８によって読み出される。ビデオエンコーダ３２は、メモリ制御回路２８によって読み出されたＹＵＶ画像データをＮＴＳＣフォーマットに従うコンポジットビデオ信号に変換し、変換されたコンポジットビデオ信号をＬＣＤモニタ３４に与える。この結果、被写界のスルー画像がモニタ画面に表示される。
【００２８】
信号処理回路２６から出力されたＹＵＶ画像データを形成するＹデータは、輝度評価回路３６にも与えられる。輝度評価回路３６は、Ｙデータを１フレーム期間毎に積分する。ＣＰＵ４０は、こうして求められた積分値つまり輝度評価値を垂直同期信号に応答して輝度評価回路３６から取り込み、絞りユニット１４の絞り量、およびドライバ２２に設定される露光時間であるシャッタ速度を取り込まれた輝度評価値に基づいて調整する。これによって、モニタ画面に表示されたスルー画像の明るさが適度に調整される。
【００２９】
シャッタボタン５０が半押しされると、輝度評価回路３６によって得られた輝度評価値を用い、ＡＥ処理として後述する本画像撮影の際に用いる絞り量Ｅとシャッタ速度Ｓの算出を、ステップＳ１におけるスルー画撮影処理における調整よりも厳密に行なう（Ｓ３、Ｓ５）。
【００３０】
そして、シャッタボタン５０が全押しされることなく、且つ半押し状態が解除されず半押し状態が継続している間は、スルー画撮影処理を行う（Ｓ７、Ｓ９、Ｓ１１）。但し、絞りユニット１４の絞り量はステップＳ５にて算出された絞り量Ｅを用い、ドライバ２２に設定されるシャッタ速度は、ステップＳ５にて算出されたシャッタ速度Ｓを用いる。すなわち、ステップＳ１でのスルー画撮影処理とは異なり、輝度評価回路３６から取り込まれた輝度価値に基づいた調整は行わない。
【００３１】
そして、シャッタボタン５０が全押しされると、固体撮像素子１６近傍の温度Ｔを温度センサ５２を用いて取得し（Ｓ１３）、得られた温度Ｔに対応する判定基準シャッタ速度ＮＲＳをデータテーブル５４を用いて取得する（Ｓ１５）。
【００３２】
次に、ステップＳ５にて算出された絞り量Ｅ及びシャッタ速度Ｓを用いて本画像撮影処理を行なう（Ｓ１７）。ＣＰＵ４０は、本露光および全画素読み出しをドライバ２２に命令する。ドライバ２２は、固体撮像素子１６の本露光とこれによって生成された生画像信号の全画素読み出しとを１回ずつ実行する。これによって、被写界の光学像に対応する高解像度の生画像信号が固体撮像素子１６から出力される。出力された生画像信号は、デジタル信号である生画像データに変換された後、メモリ制御回路２８を通してＳＤＲＡＭ３０に書き込まれる。
【００３３】
なお、固体撮像素子１６におけるシャッタ速度は、固体撮像素子１６自体の電子シャッタ機能や絞りユニット１４による機械式シャッタ機能を駆動することによって設定される。
【００３４】
そして、シャッタ速度ＳとステップＳ１５によって得られた判定基準シャッタ速度ＮＲＳとを比較し（Ｓ１９）、シャッタ速度Ｓの方が大きいことを検出した場合、ドライバ２０に命令し絞りユニット１４による遮光を行なった状態での撮影、すなわち黒画像撮影処理を行なう（Ｓ２１）。遮光状態でＣＰＵ４０は、ステップＳ１７と同じシャッタ速度Ｓでの本露光および全画素読み出しをドライバ２２に命令する。ドライバ２２は、固体撮像素子１６の本露光とこれによって生成された生画像信号の全画素読み出しとを１回ずつ実行する。これによって、遮光状態での高解像度の生画像信号である黒画像信号が固体撮像素子１６から出力される。出力された黒画像信号は、デジタル信号である黒画像データに変換された後、生画像データと同様にメモリ制御回路２８を通してＳＤＲＡＭ３０に書き込まれる。そして、ＳＤＲＡＭ３０に書き込まれた生画像データと黒画像データをメモリ制御回路２８を通して読み出し、信号処理回路２６にて生画像データより黒画像データを減算することによって生画像データに含まれる固定パターンノイズを低減し、得られた生画像データはメモリ制御回路２８を通してＳＤＲＡＭ３０に書き込まれる（Ｓ２３）。
【００３５】
なお、ステップＳ１９において、シャッタ速度Ｓが判定基準シャッタ速度ＮＲＳに等しいか又は小さいことを検出した場合、ステップＳ２１及びＳ２３をスキップする。従って、シャッタ速度Ｓと固体撮像素子１６近傍の温度Ｔを考慮し、必要に応じてステップＳ２１及びＳ２３が行なわれる。
【００３６】
そして、メモリ制御回路２８を通してＳＤＲＡＭ３０より読み出された生画像データは信号処理回路２６よってＹＵＶ形式の画像データであるＹＵＶ画像データに変換し、該ＹＵＶ画像データはメモリ制御回路２８によってＳＤＲＡＭ３０に書き込まれる（Ｓ２５）。
【００３７】
ＣＰＵ４０はまた、画像圧縮命令をＪＰＥＧコーデック４２に向けて発行する。ＪＰＥＧコーデック４２は、メモリ制御回路２８を通してＳＤＲＡＭ３０からＹＵＶ画像データを読み出し、読み出されＹＵＶた画像データにＪＰＥＧ圧縮を施し、そしてＪＰＥＧデータつまり圧縮画像データをメモリ制御回路２８を通してＳＤＲＡＭ３０に書き込む。ＣＰＵ４０はさらに、メモリ制御回路２８を通してＳＤＲＡＭ３０から圧縮画像データを読み出し、読み出された圧縮画像データを含む画像ファイルをＩ／Ｆ回路４４を通して記録媒体４６に記録する（Ｓ２７）。このような画像記録処理が完了すると、ステップＳ１の前段に戻りスルー画像処理（Ｓ１）が再開される。
【００３８】
以上、本発明の第１実施例について説明したが、ステップＳ１９における判断は図５に示すように、判定基準シャッタ速度ＮＲＳとの比較を、シャッタ速度Ｓの方が大きいか又は等しいか否かで行なってもよい（Ｓ１９０）。但し、比較条件に応じたデータテーブルをデータテーブル５２に記憶させておく必要がある。なお、図５における他のステップは図４のそれと同一であり、詳細な説明は割愛する。また、ノイズ低減処理に用いる黒画像信号の取得は、本画像撮影処理の後に限らず本画像撮影処理の前に取得しても、本画像撮影処理の前後に複数回に分けて取得してもよい。但し、ステップＳ１９において、シャッタ速度Ｓが判定基準シャッタ速度ＮＲＳ以下であると判断された場合、ステップＳ９のシャッタボタン５０の全押しからステップＳ２５の画像記録処理のまでの処理中に黒画像信号を取得する必要がないことは言うまでもない。さらに、ステップＳ９にてシャッタボタン全押しが検出された直後にステップＳ１７に相当する本画像撮影処理を行い、その後、温度Ｔの取得（Ｓ１３）、判定基準シャッタ速度ＮＲＳ取得（Ｓ１５）を行なってもよい。
【００３９】
次に本発明の第２実施例について説明する。第２実施例である電子カメラの機能ブロック図は第１実施例のそれである図１と同様である。第２実施例において、ＣＰＵ４０は、図６に示すフロー図に従う処理を実行する。なお、ステップＳ３１〜ステップＳ４７は、第１実施例の動作を示した図４のステップＳ１〜Ｓ１７の各々に対応し同等であり、詳細な説明は割愛する。ステップＳ４７にて本画像撮影処理が行われた後、メモリ制御回路２８を通してＳＤＲＡＭ３０より読み出された生画像データは信号処理回路２６よってＹＵＶ形式の画像データであるＹＵＶ画像データに変換し、該ＹＵＶ画像データはメモリ制御回路２８によってＳＤＲＡＭ３０に書き込まれる（Ｓ４９）。
【００４０】
そして、ステップＳ３５によって得られたシャッタ速度ＳとステップＳ４５によって得られた判定基準シャッタ速度ＮＲＳとを比較し（Ｓ５１）、シャッタ速度Ｓの方が大きいことを検出した場合、メモリ制御回路２８を通してＳＤＲＡＭ３０からＹＵＶ画像データを読み出し、ノイズ低減を目的としてＹＵＶ画像データの高域成分の抑圧を行い、改めてメモリ制御回路２８を通してＳＤＲＡＭ３０へＹＵＶ画像データを書き込む（Ｓ５３）。ノイズ成分は画像信号の高域成分に多く含まれているため、該高域成分を抑圧することによってノイズを目立たなくすることができる。なお、ステップＳ５１において、シャッタ速度Ｓが判定基準シャッタ速度ＮＲＳに等しいか又は小さいことを検出した場合、ステップＳ５３をスキップする。従って、シャッタ速度Ｓと固体撮像素子１６近傍の温度Ｔを考慮し、必要に応じてステップＳ５３が行なわれる。
【００４１】
そして、ＣＰＵ４０はまた、画像圧縮命令をＪＰＥＧコーデック４２に向けて発行する。ＪＰＥＧコーデック４２は、メモリ制御回路２８を通してＳＤＲＡＭ３０からＹＵＶ画像データを読み出し、読み出されＹＵＶた画像データにＪＰＥＧ圧縮を施し、そしてＪＰＥＧデータつまり圧縮画像データをメモリ制御回路２８を通してＳＤＲＡＭ３０に書き込む。ＣＰＵ４０はさらに、メモリ制御回路２８を通してＳＤＲＡＭ３０から圧縮画像データを読み出し、読み出された圧縮画像データを含む画像ファイルをＩ／Ｆ回路４４を通して記録媒体４６に記録する（Ｓ５５）。このような画像記録処理が完了すると、ステップＳ３１の前段に戻りスルー画像処理（Ｓ３１）が再開される。
【００４２】
以上、本発明の第２実施例について説明したが、第１実施例のステップＳ１９と同様に、ステップＳ３９における判断は判定基準シャッタ速度ＮＲＳとの比較を、シャッタ速度Ｓの方が大きいか又は等しいか否かで行なってもよい。また、図７に示すように、ステップＳ５１における判断結果に応じて、シャッタ速度Ｓの方が大きい場合は、メモリ制御回路２８を通してＳＤＲＡＭ３０からＹＵＶ画像データを読み出し、ノイズの大幅な低減を目的として高域成分の強抑圧を行い、メモリ制御回路２８を通してＳＤＲＡＭ３０へＹＵＶ画像データを書き込み（Ｓ５７）、そうでなければ、メモリ制御回路２８を通してＳＤＲＡＭ３０からＹＵＶ画像データを読み出し、通常のノイズ低減を目的として高域成分の弱抑圧を行い、メモリ制御回路２８を通してＳＤＲＡＭ３０へＹＵＶ画像データを書き込む（Ｓ５９）ようにしてもよい。なお、図７における他のステップは図６のそれと同一であり、詳細な説明は割愛する。また、高域成分の抑圧処理は、生画像データのＹＵＶ画像データへの変換処理完了後に行なっても、該変換中に行なうようにしてもよい。
【００４３】
次に本発明の第３実施例について説明する。第３実施例である電子カメラの機能ブロック図は第１実施例のそれである図１と同様である。第３実施例において、ＣＰＵ４０は、図８に示すフロー図に従う処理を実行する。なお、ステップＳ６１〜ステップＳ７７は、第１実施例の動作を示した図４のステップＳ１〜Ｓ１７の各々に対応し同等であり、詳細な説明は割愛する。ステップＳ７７にて本画像撮影処理が行われた後、メモリ制御回路２８を通してＳＤＲＡＭ３０より読み出された生画像データは信号処理回路２６よってＹＵＶ形式の画像データであるＹＵＶ画像データに変換し、該ＹＵＶ画像データはメモリ制御回路２８によってＳＤＲＡＭ３０に書き込まれる（Ｓ７９）。
【００４４】
そして、ステップＳ６５によって得られたシャッタ速度ＳとステップＳ７５によって得られた判定基準シャッタ速度ＮＲＳとを比較し（Ｓ８１）、シャッタ速度Ｓの方が大きいことを検出した場合、メモリ制御回路２８を通してＳＤＲＡＭ３０からＹＵＶ画像データを読み出し、ノイズ低減を目的としてＹＵＶ画像データを構成するＵＶデータである色成分の抑圧を行い、改めてメモリ制御回路２８を通してＳＤＲＡＭ３０へＹＵＶ画像データを書き込む（Ｓ８３）。色成分を抑圧することによって、ノイズ成分自体の大きさはあまり変わらないが、ノイズを目立たなくすることができる。なお、ステップＳ８１において、シャッタ速度Ｓが判定基準シャッタ速度ＮＲＳに等しいか又は小さいことを検出した場合、ステップＳ８３をスキップする。従って、シャッタ速度Ｓと固体撮像素子１６近傍の温度Ｔを考慮し、必要に応じてステップＳ８３が行なわれる。
【００４５】
そして、ＣＰＵ４０はまた、画像圧縮命令をＪＰＥＧコーデック４２に向けて発行する。ＪＰＥＧコーデック４２は、メモリ制御回路２８を通してＳＤＲＡＭ３０からＹＵＶ画像データを読み出し、読み出されＹＵＶた画像データにＪＰＥＧ圧縮を施し、そしてＪＰＥＧデータつまり圧縮画像データをメモリ制御回路２８を通してＳＤＲＡＭ３０に書き込む。ＣＰＵ４０はさらに、メモリ制御回路２８を通してＳＤＲＡＭ３０から圧縮画像データを読み出し、読み出された圧縮画像データを含む画像ファイルをＩ／Ｆ回路４４を通して記録媒体４６に記録する（Ｓ８５）。このような画像記録処理が完了すると、ステップＳ６１の前段に戻りスルー画像処理（Ｓ６１）が再開される。
【００４６】
以上、本発明の第３実施例について説明したが、第１実施例のステップＳ１９と同様に、ステップＳ３９における判断は判定基準シャッタ速度ＮＲＳとの比較を、シャッタ速度Ｓの方が大きいか又は等しいか否かで行なってもよい。また、図９に示すように、ステップＳ８１における判断結果に応じて、シャッタ速度Ｓの方が大きい場合は、メモリ制御回路２８を通してＳＤＲＡＭ３０からＹＵＶ画像データを読み出し、ノイズの大幅な低減を目的として色成分の強抑圧を行い、メモリ制御回路２８を通してＳＤＲＡＭ３０へＹＵＶ画像データを書き込み（Ｓ８７）、そうでなければ、メモリ制御回路２８を通してＳＤＲＡＭ３０からＹＵＶ画像データを読み出し、通常のノイズ低減を目的として色成分の弱抑圧を行い、メモリ制御回路２８を通してＳＤＲＡＭ３０へＹＵＶ画像データを書き込む（Ｓ８９）ようにしてもよい。なお、図９における他のステップは図８のそれと同一であり、詳細な説明は割愛する。また、色成分の抑圧処理は、生画像データのＹＵＶ画像データへの変換処理完了後に行なっても、該変換中に行なうようにしてもよい。
【００４７】
以上、本発明の実施例について説明したが、電源のオン動作、オフ動作に関する説明は割愛した。また、固体撮像素子１６近傍の温度Ｔとノイズ除去を目的とした補正処理を行うか否かを判定するための基準となる判定基準シャッタ速度ＮＲＳとの関係は、行なう補正処理のやり方に応じて適宜決定される。
【００４８】
上記実施例の説明は、本発明を説明するためのものであって、特許請求の範囲に記載の発明を限定し、或は範囲を減縮する様に解すべきではない。又、本発明の各部構成は、上記実施例に限らず、特許請求の範囲に記載の技術的範囲内で種々の変形が可能であることは勿論である。
【図面の簡単な説明】
【００４９】
【図１】本発明の第１、第２、第３実施例を示した機能ブロック図である。
【図２】本発明の第１、第２、第３実施例の細部を説明するためのグラフである。
【図３】本発明の第１、第２、第３実施例の細部を示した説明図である。
【図４】本発明の第１実施例の動作を示したフローチャートである。
【図５】本発明の第１実施例の他の動作を示したフローチャートである。
【図６】本発明の第２実施例の動作を示したフローチャートである。
【図７】本発明の第２実施例の他の動作を示したフローチャートである。
【図８】本発明の第３実施例の動作を示したフローチャートである。
【図９】本発明の第３実施例の他の動作を示したフローチャートである。
【図１０】従来技術の課題を示す説明図である。
【符号の説明】
【００５０】
１０  電子カメラ
１６  固体撮像素子
２６  信号処理回路
２８  ＳＤＲＡＭ
４０  ＣＰＵ
５２  温度センサ
５４  データテーブル
【図１】
2006148456.tif 000003
【図２】
2006148456.tif 000004
【図３】
2006148456.tif 000005
【図４】
2006148456.tif 000006
【図５】
2006148456.tif 000007
【図６】
2006148456.tif 000008
【図７】
2006148456.tif 000009
【図８】
2006148456.tif 000010
【図９】
2006148456.tif 000011
【図１０】
2006148456.tif 000012